【手続補正書】
【提出日】平成19年5月18日(2007.5.18)
【手続補正１】
【補正対象書類名】特許請求の範囲
【補正対象項目名】全文
【補正方法】変更
【補正の内容】
【特許請求の範囲】
【請求項１】
入力デバイスと、計算格納デバイスおよび計算プロセッサを備えた計算デバイスとを用いてアカウント取引情報を処理する方法であって、
該方法は、
ａ．該計算プロセッサにおいて商取引情報および料金取引情報を受け取るステップであって、該商取引情報は商業識別子および商業チケット番号を含み、該料金取引情報は料金識別子および料金チケット番号を含む、ステップと、
ｂ．該計算プロセッサによって該計算格納デバイスに含まれる保留中のリスト上に該商取引情報および該料金取引情報を格納するステップと、
ｃ．該計算プロセッサによって該保留リストを処理して、該料金取引情報の第１のサブセットに含まれる料金チケット番号に等しい商業チケット番号を有する該商取引情報の第１のサブセットを識別するステップと、
ｄ．該計算プロセッサによって該商取引情報の第１のサブセットを処理して、該料金取引情報の第２のサブセットに含まれる料金識別子に等しい商業識別子を有する該商取引情報の第２のサブセットを識別するステップと、
ｅ．該料金識別子が該計算格納デバイス内の承認されたアイテムリストに含まれる場合には、該商取引情報の第２のサブセットおよび該料金取引情報の第２のサブセットを該計算格納デバイスにおいて格納するステップと、
ｆ．該計算プロセッサによって該ステップｃ〜ｅを繰り返して、料金チケット番号および料金識別子に等しい商業チケット番号および商業識別子をそれぞれが有する他の商取引情報および他の料金取引情報を識別するステップと、
ｇ．一時的な保留リストを生成するために該保留リストから該商取引情報の第３のサブセットおよび該料金取引情報の第３のサブセットを該計算プロセッサによって取り除き、該計算格納デバイス内の未決済の取引リスト上の該商取引情報の第３のサブセットおよび該料金取引情報の第３のサブセットを格納するステップであって、該商取引情報の第３のサブセットにおけるそれぞれの商業識別子は、該料金取引情報の第３のサブセットにおける料金識別子に等しくない、ステップと、
ｈ．該計算プロセッサによって該一時的な保留リストを処理して、該料金取引情報の第４のサブセットに含まれる料金チケット番号および料金識別子に対して特定の許容範囲内にある商業チケット番号および商業識別子を有する該商取引情報の第４のサブセットを識別するステップと、
ｉ．該ステップｇにおいて識別された該商取引情報の第３のサブセットおよび該料金取引情報の第３のサブセットに対する承認通知を該計算プロセッサにおいて該入力デバイスから受け取るステップと、
ｊ．該計算格納デバイスにおいて、該ステップｈにおいて識別された該商取引情報の第４のサブセットおよび該料金取引情報の第４のサブセットを該承認されたアイテムリスト上で格納するステップと、
ｋ．該計算プロセッサによって該ステップｈ〜ｊを繰り返して、料金取引情報に含まれる料金識別子に対して該特定の許容範囲内にある商業識別子を有する他の商取引情報を識別し、格納するステップと、
ｌ．該計算プロセッサによって該保留リストを処理して、該商取引情報に含まれる第１のドル金額と該料金取引情報に含まれる第２のドル金額とのオフセットがゼロに等しいかどうかを決定するステップと、
ｍ．該第１のドル金額と該第２のドル金額とのオフセットがゼロに等しいと決定された場合には、ウォッシュアウトリストに該商取引情報および該料金取引情報を該計算格納デバイスにおいて格納するステップと
を包含する、方法。
【請求項２】
前記ステップｄは、
前記計算プロセッサが、
ｄ１．前記保留リストから前記料金取引情報の第２のサブセットうちの１つを選択するステップと、
ｄ２．該料金取引情報の第２のサブセットに含まれる前記料金識別子を識別するステップと、
ｄ３．該識別された料金識別子に等しい商業識別子に対する前記商取引情報の第２のサブセットを検索するステップと
を包含する、請求項１に記載の方法。
【請求項３】
前記商取引情報の第１のサブセット、該商取引情報の第２のサブセット、該商取引情報の第３のサブセット、および該商取引情報の第４のサブセットのうちの少なくとも１つは旅行取引情報を含む、請求項１に記載の方法。
【請求項４】
前記商業識別子および前記料金識別子のうちの少なくとも１つは旅客名、カード番号およびドル金額を含む、請求項３に記載の方法。
【請求項５】
前記旅行取引情報は、航空会社情報、宿泊施設情報、またはレンタカー情報のうちの１つを含む、請求項３に記載の方法。
【請求項６】
前記計算プロセッサが、
ｎ．前記ステップｄにおいて識別された前記商取引情報の第２のサブセットおよび前記料金取引情報の第２のサブセットと、前記ステップｈにおいて識別された前記商取引情報の第３のサブセットおよび前記料金取引情報の第３のサブセットとを承認されたアイテムリスト上に格納するステップと、
ｏ．編集を処理して該編集から報告書を生成するステップと
をさらに包含する、請求項１に記載の方法。
【請求項７】
計算格納デバイスおよび計算プロセッサを備えた計算デバイスを用いてアカウント取引情報を処理する方法であって、
該方法は、
該計算プロセッサにおいて複数の旅行チケット情報を含む旅行取引情報を受け取り、該計算格納デバイスに該複数の旅行チケット情報を含む旅行取引情報を格納するステップと、
該計算プロセッサにおいて複数の旅行料金情報を含むカード取引情報を受け取り、該計算格納デバイスに該複数の旅行料金情報を含むカード取引情報を格納するステップと、
該該計算格納デバイスを処理して、該旅行料金情報の第１のサブセットに含まれるカード取引情報に等しい旅行取引情報を有する該旅行チケット情報の第１のサブセットを識別し、該旅行チケット情報の第１のサブセットおよび該旅行料金情報の第１のサブセットを該計算格納デバイスに含まれる承認リスト上に格納するステップと、
旅行料金情報に等しい旅行チケット情報をそれぞれが有する他の旅行取引情報および他のカード取引情報を識別するために、該処理するステップおよび格納するステップを該計算プロセッサによって繰り返すステップと、
該旅行チケット情報の第２のサブセットおよび該旅行料金情報の第２のサブセットを該計算格納デバイスに含まれる未決算の取引リスト上に格納するステップであって、該旅行取引情報におけるそれぞれの旅行チケット情報は、該カード取引情報における旅行料金情報に等しくない、ステップと、
該計算プロセッサによって該計算格納デバイスを処理して、該旅行取引情報に含まれる第１のドル金額と該カード取引情報に含まれる第２のドル金額とのオフセットがゼロに等しいかどうかを決定するステップと、
該第１のドル金額と該第２のドル金額とのオフセットがゼロに等しいと決定された場合には、ウォッシュアウトリストに該旅行取引情報および該カード取引情報を該計算格納デバイスにおいて格納するステップと
を包含する、方法。
【請求項８】
前記計算プロセッサが、データベースに含まれる返済リスト上の返済情報を含む旅行取引情報を前記計算格納デバイスに格納するステップをさらに包含する、請求項７に記載の方法。
【請求項９】
入力デバイスと、計算格納デバイスおよび計算プロセッサを備えた計算デバイスとを用いてアカウント情報を処理するコンピュータ実現方法であって、
該方法は、
複数の商業記録に関する商業データを該コンピュータプロセッサにおいて受け取り、該計算格納デバイスに該複数の商業記録に関する商業データを格納するステップと、
カードアカウント収支に関するカードデータを該計算プロセッサにおいて受け取り、該計算格納デバイスに該カードアカウント収支に関するカードデータを格納するステップであって、該カードアカウント収支は該複数の商業記録に対応する料金を含む、ステップと、
該計算プロセッサによって該計算格納デバイスを処理して、該料金の第１のサブセットに関するカードデータに等しい商業データに関する該複数の商業記録の第１のサブセットを識別するステップと、
該複数の商業記録の第１のサブセットに関する該商業データおよび該料金の第１のサブセットに関する該カードデータを該計算格納デバイスに含まれる第１のリストに格納するステップと、
該計算プロセッサによって該計算格納デバイスを処理して、該料金の第２のサブセットに関するカードデータに等しくない商業データに関する該複数の商業記録の第２のサブセットを識別するステップと、
該複数の商業記録の第２のサブセットに関する該商業データおよび該料金の第２のサブセットに関する該カードデータを該計算格納デバイスに含まれる第２のリストに格納するステップと、
該計算プロセッサによって該計算格納デバイスを処理して、該料金の第３のサブセットに関するカードデータに対して特定の許容範囲内にある商業データに関する該複数の商業記録の第３のサブセットを識別するステップと、
該複数の商業記録の第３のサブセットに関する該商業データおよび該料金の第３のサブセットに関する該カードデータを該計算格納デバイスに含まれる第３のリストに格納するステップと、
該入力デバイスから承認情報を受け取って、該計算プロセッサによって該第３のリストを該第１のリストに組み合わせるステップと、
該計算プロセッサによって該計算格納デバイスを処理して、該商業データに含まれる第１のドル金額と該カードデータに含まれる第２のドル金額とのオフセットがゼロに等しいかどうかを決定するステップと、
該第１のドル金額と該第２のドル金額とのオフセットがゼロに等しいと決定された場合には、該計算格納デバイスにおいて、該商業データおよび該カードデータを該第１のリスト上に格納するステップと
を包含する、コンピュータ実現方法。
【請求項１０】
前記計算プロセッサによって前記計算格納デバイスを処理して、前記複数の商業記録の第１のサブセットを識別するステップは、該計算プロセッサが該商業データおよび該カードデータ内の共通の番号の組を識別するステップを包含する、請求項９に記載の方法。
【請求項１１】
前記計算プロセッサが基本的な一致識別子を識別するステップをさらに包含し、該計算プロセッサによって該計算格納デバイスを処理して、前記複数の商業記録の第１のサブセットを識別するステップは、該基本的な一致識別子に基づいて前記カードデータに等しい商業データを識別するステップを包含する、請求項９に記載の方法。
【請求項１２】
前記計算プロセッサが、複数の基本的な一致識別子に基づいて前記商業データが前記カードデータに等しいと識別される場合には、該商業データが該カードデータに等しいことを確認するステップをさらに包含する、請求項１１に記載の方法。
【請求項１３】
前記計算プロセッサが、複数のクライアント定義の識別子に基づいて前記商業データが前記カードデータに等しいと識別される場合には、該商業データが該カードデータに等しいことを確認するステップをさらに包含する、請求項１２に記載の方法。
【請求項１４】
前記第１のリストに格納されている前記商業データのそれぞれからのドル金額の和をとることによって、前記計算プロセッサによって第１のリストの合計を計算するステップと、
前記第２のリストに格納されている該商業データのそれぞれからのドル金額の和をとることによって、該計算プロセッサによって第２のリストの合計を計算するステップと、
前記第３のリストに格納されている該商業データのそれぞれからのドル金額の和をとることによって、該計算プロセッサによって第３のリストの合計を計算するステップと、
前記カードアカウント収支から該第１のリストの合計および該第３のリストの合計を差し引くことによって終了収支を計算するステップと、
該終了収支と該第２のリストの合計とを比較するステップと
をさらに包含する、請求項９に記載の方法。
【請求項１５】
入力デバイスと、計算ディスプレイと、計算格納デバイスおよび計算プロセッサを備えた計算デバイスとを用いてアカウント情報を処理する方法であって、 該方法は、
ａ．該計算プロセッサにおいて複数の商業記録に関する商業関連データを受け取り、該計算格納デバイスに該複数の商業記録に関する商業関連データを格納するステップであって、該商業関連データは少なくとも１つの商業識別子を含む、ステップと、
ｂ．該計算プロセッサにおいてドル収支を含むカード請求書に関するカード関連データを受け取り、該計算格納デバイスに該ドル収支を含むカード請求書に関するカード関連データを格納するステップであって、該カード請求書は該複数の商業記録のそれぞれに対応する料金情報を含み、該カード関連データは少なくとも１つのカード識別子を含む、ステップと、
ｃ．計算デバイスディスプレイにコンピュータにより生成された報告書を該計算プロセッサによって出力するステップであって、該報告書は、
該カード請求書のドル収支を含む開始収支と、
該カード関連データの少なくとも１つのカード識別子に等しい少なくとも１つの商業識別子を含む商業関連データの組み合わされたドル合計を含む保留支払であって、該カード関連データの少なくとも１つのカード識別子に等しい少なくとも１つの商業識別子を含むことは自動承認およびユーザ承認のうちの少なくとも１つの承認をされており、
該保留支払は、
該カード関連データの少なくとも１つのカード識別子に対して特定の許容範囲内にある少なくとも１つの商業識別子を含む商業関連データの組み合わされたドル合計をさらに含み、該カード関連データの少なくとも１つのカード識別子に対して特定の許容範囲内にある少なくとも１つの商業識別子を含むことは自動承認およびユーザ承認のうちの少なくとも１つの承認をされている、保留支払と、
該保留支払よりも少ない該開始収支の集合を含む終了収支と、
該カード関連データの少なくとも１つのカード識別子に等しくない少なくとも１つの商業識別子を含む商業関連データのドル合計を含む未決済の収支とを有する、ステップと、
ｄ．該計算プロセッサによって、該終了収支が該未決済の収支に等しいことを確認するステップと、
ｅ．該計算プロセッサによって該計算格納デバイスを処理して、該商業関連データに含まれる第１のドル金額と該カード関連データに含まれる第２のドル金額とのオフセットがゼロに等しいかどうかを決定するステップと、
ｆ．該第１のドル金額と該第２のドル金額とのオフセットがゼロに等しいと決定された場合には、ウォッシュアウトリストに該商業関連データおよび該料金関連データを格納するステップと
を包含する、方法。
【請求項１６】
ｇ．前記計算デバイスディスプレイに、前記カード関連データの少なくとも１つのカード識別子に等しくない少なくとも１つの商業識別子を含む前記商業関連データを含むコンピュータにより生成された未決済収支リストを前記計算プロセッサによって出力するステップと、
ｈ．該計算デバイスディスプレイに、該カード関連データの少なくとも１つのカード識別子に等しくない少なくとも１つの商業識別子を含む該商業関連データの詳細な説明を該計算プロセッサによって出力するステップと、
ｉ．該計算プロセッサにおいて該入力デバイスから一致識別子を受け取るステップと、
ｊ．該計算プロセッサによって前記計算格納デバイスを処理して、該一致識別子に等しい該商業識別子の少なくとも１つおよび該カード識別子の少なくとも１つを識別するステップと、
ｋ．該計算プロセッサによって該計算格納デバイスを処理して、該一致識別子に対して特定の許容範囲内にある該商業識別子の少なくとも１つおよび該カード識別子の少なくとも１つを識別するステップと、
ｌ．該計算プロセッサによって該計算ディスプレイに該ステップｊおよびｋの結果を出力するステップと、
ｍ．該結果の１つと該カード関連データの少なくとも１つのカード識別子に等しくない該商業識別子の１つとの間の対応を示す決済された一致に対する指示を該計算プロセッサにおいて該入力デバイスから受け取るステップと、
ｎ．該決済された一致を保留中の支払リストに格納するステップと
をさらに包含する、請求項１５に記載の方法。
【請求項１７】
ｏ．前記計算プロセッサによって準備中の承認リストに前記決済された一致を格納するステップと、
ｐ．該計算プロセッサによって前記計算デバイスディスプレイに該準備中の承認リストを出力するステップと、
ｑ．該計算プロセッサにおいて該入力デバイスから該決済された一致の容認を示す容認情報を受け取り、該決済された一致を該保留支払リストに格納するか、または、該入力デバイスから該決済された一致の否定を示す否定情報を受け取り、該決済された一致を該未決済の収支リストに格納し、請求項１６に記載のステップを繰り返すステップと
をさらに包含する、請求項１６に記載の方法。
【請求項１８】
前記複数の商業記録が旅行記録を含む、請求項１５に記載の方法。
【請求項１９】
前記旅行記録は、航空会社記録、宿泊施設記録、またはレンタカー記録のうちの１つを含む、請求項１８に記載の方法。
【請求項２０】
アカウント情報を処理するアカウントシステムであって、
該アカウントシステムは、
ディスプレイデバイスおよび入力手段を有するクライアント側計算デバイスと、
サーバ側計算デバイスであって、該サーバ側計算デバイス上に格納されたデータベースおよびアカウントソフトウエアプログラムを有するサーバ側計算デバイスと、
該クライアント側と該サーバ側とをリンクさせる通信チャンネルと
を備え、
該データベースは該クライアント側計算デバイスから商業関連データおよびカード関連データを受け取り、該商業関連データおよびカード関連データを格納し、該商業関連データは、複数の商業記録および特定の業務に特有の情報を含む該複数の商業記録のそれぞれを含み、該カード関連データは複数の料金情報を含み、該複数の料金情報のそれぞれは該複数の商業記録の少なくとも１つに対応し、
該アカウントソフトウェアは、
該サーバ側計算デバイスが該カード関連データの第１のサブセットに含まれる料金情報に等しい商業記録情報を有する該商業関連データの第１のサブセットを識別するように制御し、
該サーバ側計算デバイスが該カード関連データの第２のサブセットに含まれる料金情報に等しくない商業記録情報を有する該商業関連データの第２のサブセットを識別し、該商業関連データの第２のサブセットを未決済リスト上に格納し、
該サーバ側計算デバイスが該ディスプレイデバイスに該未決済リストを出力し、該データベースを検索して、該カード関連データの第３のサブセットに含まれる料金情報に対して特定の許容範囲内にある商業記録情報を有する該商業関連データの第３のサブセットを識別し、該商業関連データの第２のサブセットおよび該カード関連データの第２のサブセットの承認を示す承認データを該入力手段から受け取るように制御し、
該サーバ側計算デバイスが該未決算リストへの修正を示す編集データを該入力手段から受け取り、かつ、該編集データの承認を示す承認データを受け取るように制御し、
該サーバ側計算デバイスが該商業アカウントが処理されたことの確認を含む報告書を生成し、該報告書を該ディプレイデバイスに送信するように制御し、
該サーバ側計算デバイスが該商業関連データに含まれる第１のドル金額と該カード関連データに含まれる第２のドル金額とのオフセットがゼロに等しいかどうかを決定し、該第１のドル金額と該第２のドル金額とのオフセットがゼロに等しいと決定された場合には、ウォッシュアウトリストに該商業関連データおよび該カード関連データを格納するように制御するプログラムを含む、アカウントシステム。
【請求項２１】
前記アカウントソフトウェアは、前記サーバ側計算デバイスを制御して業務の返済を自動的に管理するプログラムをさらに含む、請求項２０に記載のアカウントシステム。
【請求項２２】
前記サーバ側計算デバイスを制御して業務の返済を自動的に管理するプログラムは、該サーバ側計算デバイスが、
業務の返済に関する情報を用いて前記アカウントデータベース内で返済ログを更新し、
該業務の返済に関連づけられた前記複数のカード関連データのうちの少なくとも１つに含まれるクレジットを識別し、該クレジットと該業務の返済とを自動的に対応させ、
該クレジットに関する情報を用いて該返済ログを更新するように制御するプログラムを含む、請求項２１に記載のアカウントシステム。
【請求項２３】
ａ．商取引情報および料金取引情報をソートするステップであって、該商取引情報は商業識別子およびドル金額を含み、該料金取引情報は料金識別子およびドル金額を含む、ステップと、
ｂ．該料金取引情報の第１のサブセットに含まれる料金識別子に等しい商業識別子を有する該商取引情報の第１のサブセットに対する商取引情報を検索し、第１のリスト上に該商取引情報の第１のサブセットおよび該料金取引情報の第１のサブセットを格納するステップと、
ｃ．該料金取引情報の第２のサブセットに含まれる料金識別子に等しくない商業識別子を有する該商取引情報の第２のサブセットに対する商取引情報を検索し、第２のリスト上に該商取引情報の第２のサブセットおよび該料金取引情報の第２のサブセットを格納するステップと、
ｄ．該料金取引情報の第３のサブセットに含まれる料金識別子に対して所定の許容範囲内にある商業識別子を有する該商取引情報の第３のサブセットに対する商取引情報を検索し、第３のリスト上に該商取引情報の第３のサブセットおよび該料金取引情報の第３のサブセットを格納するステップと、
ｅ．ドル金額に対する商取引情報を検索するステップであって、該商取引情報に含まれるドル金額と該料金取引情報に含まれるドル金額とのオフセットがゼロに等しい、ステップと、
ｆ．該ドル金額に対する該商取引情報を第４のリスト上に格納するステップであって、該商取引情報に含まれるドル金額と該料金取引情報に含まれるドル金額とのオフセットがゼロに等しい、ステップと、
ｇ．該商取引情報および該料金取引情報の全てが、該第１のリスト、該第２のリスト、該第３のリストおよび該第４のリストのうちの少なくとも１つリストの上に格納されるまで、該ステップｂからｆを繰り返すステップと、
ｈ．該第２のリストを表示するステップと、
ｉ．該第２のリスト上の、選択された取引情報に関する情報に対して該アカウントデータベースを検索するステップと、
ｊ．該検索された情報を表示するステップと、
ｋ．該選択された取引情報と別の取引情報とを対応させるためのコマンドを受け取るステップと、
ｌ．該対応する選択された取引情報および別の取引情報を該第２のリスト上に格納するステップと
をコンピュータに実行させる、プログラム。
【請求項２４】
前記商業識別子および前記料金識別子は、基本的な識別子およびクライアントに特有な識別子を含む、請求項２３に記載のプログラム。
【請求項２５】
前記ステップａからｇの間、全ての基本的な識別子および全てのクライアントに特有な識別子の存在を確認するステップをさらに前記コンピュータに実行させる、請求項２４に記載のプログラム。
【請求項２６】
前記商取引情報は旅行アカウントを含む、請求項２３に記載のプログラム。
【請求項２７】
前記商取引情報は、航空会社アカウント、宿泊施設アカウント、またはレンタカーアカウントのうちの１つを含む、請求項２３に記載のプログラム。
【請求項２８】
前記商業識別子および前記料金識別子は、個人の名前、チケット番号、カード番号、およびドル金額を含む、請求項２６に記載のプログラム。
【請求項２９】
前記ステップｈからｌの間、前記選択された取引情報を編集するコマンドを受け取るステップをさらに前記コンピュータに実行させる、請求項２３に記載のプログラム。
【請求項３０】
コマンドを容認する前にユーザを認証するプログラムをさらに含む、請求項２３に記載のプログラム。
【請求項３１】
報告書生成プロセスをさらに前記コンピュータに実行させる、請求項２３に記載のプログラム。